(57)【要約】【課題】  クレセントレバーの操作状態とは無関係にロック部材を作動できるようにして、クレセント錠に対する補助ロック操作を非常に簡便に行うことができるクレセント錠の補助ロック装置を提供する。【解決手段】  本発明に係るクレセント錠の補助ロック装置１４は、室内引き戸３の縦枠６に取り付け可能な取付ベース１５と、室外引き戸２の縦枠５に設けられたクレセント受け７に係合可能な爪部３７を先端部に有しかつ取付ベース１５に対して上下動自在に設けられたロック部材１７と、このロック部材１７の下方移動又は上方移動の際に当該ロック部材１７を室内側に移動させてその爪部３７をクレセント受け７に直接係合させるカム機構５０と、ロック部材１７を上下動させるための操作部材１８と、を備えている。【選択図】  図１
2005105791.tif 000002
【特許請求の範囲】
【請求項１】
室内引き戸の縦枠に取り付け可能な取付ベースと、
室外引き戸の縦枠に設けられたクレセント受けに係合可能な爪部を先端部に有しかつ前記取付ベースに対して上下動自在に設けられたロック部材と、
このロック部材の下方移動又は上方移動の際に当該ロック部材を室内側に移動させてその爪部を前記クレセント受けに直接係合させるカム機構と、
前記ロック部材を上下動させるための操作部材と、
を備えていることを特徴とするクレセント錠の補助ロック装置。
【請求項２】
取付ベースは、ロック部材が出没自在に挿通された中空のケーシングよりなり、操作部材は、ロック部材の前記ケーシングに収納されている部分に対して抜き差し自在な操作つまみにより構成されていることを特徴とする請求項１に記載のクレセント錠の補助ロック装置。
【請求項３】
ロック位置に突出したロック部材をその位置で保持しかつ操作つまみの差し込みのみによってその保持を解除する位置決め機構がケーシング内に設けられていることを特徴とする請求項２に記載のクレセント錠の補助ロック装置。
【請求項４】
室外引き戸の縦枠に設けれているクレセント受けに係合可能な爪部を先端部に有するロック部材を、クレセント錠のクレセントレバーとは別に室内引き戸の縦枠に上下動自在に設け、前記ロック部材の爪部を前記クレセント受けに直接係合させることによって前記両引き戸をロックすることを特徴とするクレセント錠の補助ロック方法。
【発明の詳細な説明】
【技術分野】
【０００１】  本発明は、室内引き戸の縦枠に後付けして使用するのに適したクレセント錠の補助ロック装置とその補助ロック方法に関するものである。
【背景技術】
【０００２】  住宅の窓部やバルコニーに設置されているアルミサッシ等よりなる引き戸装置には、その引き戸装置を施錠するためのクレセント錠が設けられている。このクレセント錠は、引き戸装置を構成する室外引き戸の縦枠に突設されたクレセント受けと、閉鎖時にその室外引き戸の縦枠に重合する室内引き戸の縦枠に枢着されたクレセントレバーとからなり、このクレセントレバーを上方に回動操作して同レバーの基端側の掛止爪をクレセント受けに引っ掛けることにより、室内外の両引き戸を施錠できるようになっている。【０００３】  しかし、かかる通常のクレセント錠はクレセントレバーを下方に回動するだけで簡単に解錠できるため、家屋内に不正に侵入しようとする者がクレセント錠の近傍のガラスを局部的に割ってサッシの一部を開口させ、その開口部から手を入れてクレセントレバーを解除することで室内に容易に侵入することができるという問題がある。
そこで、かかる不都合を回避すべく、本願出願人は、既設のクレセント錠に後付けしてクレセントレバーを補助的にロックできるようにした補助ロック装置を既に開発している（特許文献１参照）。【０００４】  この従来の補助ロック装置は、室内引き戸の縦枠に取り付け可能なケーシングと、下方側のロック位置と上方側のアンロック位置のいずれか一方に切り換え自在となるように前記ケーシングに設けられかつそのロック位置においてクレセントレバーのアーム部に係合して同レバーが解錠方向へ回動するのを阻止するロック部材と、前記ケーシングに設けられた操作部材を有しておりかつこの操作部材に対して所定の解錠操作をして初めて前記ロック部材がアンロック位置に移動するのを許容する施錠機構と、を備えている。【０００５】  そして、かかる補助ロック装置によれば、ロック部材が下方側のロック位置と上方側のアンロック位置のいずれか一方に切り換え自在となっており、しかも、そのロック位置においてクレセントレバーのアーム部に係合して同レバーが解錠方向へ回動するのを阻止するので、アンロック位置にあるロック部材を下方側のロック位置に切り換えるだけで、クレセントレバーの下方回動を規制した状態にロックできるようになっている。【０００６】
【特許文献１】  特開２００２−３４９１０５号公報
【発明の開示】
【発明が解決しようとする課題】
【０００７】  上記従来の補助ロック装置では、ロック位置に切り換えられたロック部材がクレセントレバーのアーム部に係合し、これによって同レバーが解錠方向へ回動するのを阻止するようになっているので、クレセントレバーを上方へ回動させてロック状態にしてから、補助ロック装置のロック部材を下方へ押し下げてロック位置にしないと、クレセント錠を補助ロックすることができない。【０００８】  このように、従来の補助ロック装置では、クレセントレバーをロック操作してからでなければ補助ロック装置のロック部材を作動させることができないため、この点でクレセント錠に対する補助ロック操作が煩雑であるという欠点がある。
そこで、本発明の課題は、クレセントレバーの操作状態とは無関係にロック部材を作動できるようにして、クレセント錠に対する補助ロック操作を非常に簡便に行うことができるクレセント錠の補助ロック装置とその補助ロック方法を提供する点にある。
【課題を解決するための手段】
【０００９】  上記の課題を達成すべく、本発明は次の解決手段を講じた。
すなわち、本発明に係るクレセント錠の補助ロック装置は、室内引き戸の縦枠に取り付け可能な取付ベースと、室外引き戸の縦枠に設けられたクレセント受けに係合可能な爪部を先端部に有しかつ前記取付ベースに対して上下動自在に設けられたロック部材と、このロック部材の下方移動又は上方移動の際に当該ロック部材を室内側に移動させてその爪部を前記クレセント受けに直接係合させるカム機構と、前記ロック部材を上下動させるための操作部材と、を備えていることを特徴とする。【００１０】  上記の本発明に係る補助ロック装置は、室内引き戸の縦枠に対してロック部材が上下動自在となるように、室内引き戸の縦枠におけるクレセント錠よりも上方又は下方の部分に予め取付ベースを取り付けた状態で使用する。このさい、本発明によれば、室内引き戸の縦枠に上下動自在に設けられたロック部材が、下方移動又は上方移動の際にカム機構によって室内側に移動させられ、これによって爪部がクレセント受けに直接係合するようになっている。【００１１】  このため、操作部材によってロック部材をクレセント受けに近づける方向に移動させるようにすれば、クレセントレバーがロック状態である場合は勿論のこと、同レバーがアンロック状態である場合においても両引き戸をロックすることができ、クレセントレバーのロック状態とは無関係にロック部材を作動することができる。なお、ロック部材のクレセント受けに対する係合を解除するには、操作部材によってロック部材をアンロック側に切り換えるようにすればよい。【００１２】  上記本発明のより好ましい実施形態においては、前記取付ベースは、ロック部材が出没自在に挿通された中空のケーシングよりなり、前記操作部材は、ロック部材のケーシングに収納されている部分に対して抜き差し自在な操作つまみにより構成される。この場合、操作つまみをロック部材から抜き取っておくことにより、侵入者がロック部材を操作できなくなるので、補助ロック装置による防犯性能を向上させることができる。
また、本発明の別の好ましい実施形態では、ロック位置に突出したロック部材をその位置で保持しかつ操作つまみの差し込みのみによってその保持を解除する位置決め機構がケーシング内に設けられている。この場合、ロック位置に突出したロック部材は位置決め機構によってその位置で保持され、ロック部材を無理矢理アンロック位置に戻すことができず、しかも、操作つまみを差し込まないとその保持を解除することができないので、補助ロック装置による防犯性能をよりいっそう向上させることができる。
【発明の効果】
【００１３】  上述の通り、本発明によれば、クレセントレバーの操作状態とは無関係にロック部材を作動することができるので、クレセント錠に対する補助ロック操作を非常に簡便に行うことができる。
【発明を実施するための最良の形態】
【００１４】  以下、図面に基づいて、本発明の一実施形態について説明する。
図５において、１はアルミサッシ等よりなる引き戸装置であり、この引き戸装置１は、図示しないサッシ枠内に室外引き戸２と室内引き戸３を水平方向にスライド自在に嵌め込むことによって構成されている。【００１５】  ４はクレセント錠であり、上記両引き戸２，３の閉塞時に互いに重合する両縦枠５，６に取り付けられている。このクレセント錠４は、室外引き戸２（図５の奥側）の縦枠５の枠内立側面に突設されたフック状の金具よりなるクレセント受け７と、室内引き戸３（図５の手前側）の縦枠６の枠外立側面６Ａに固定された基台８と、この基台８に横軸回りに回動自在に枢着されたクレセントレバー９とを備えている。このクレセントレバー９は、クレセント受け７に係合する湾曲した掛止爪１０を外周部に有する回動基部１１と、この回動基部１１から径外方向に突出するアーム部１２とから一体に形成されている。【００１６】  図１〜図３及び図５に示すように、本実施形態の補助ロック装置１４は、ほぼ縦長の中空直方体状に形成されたケーシング（取付ベース）１５と、このケーシング１５を室内引き戸３の縦枠６の枠外立側面６Ａに取り付けるための取付ブラケット１６と、ケーシング１５内に収納される上方側のアンロック位置（図１の位置）と室外側へ移動しながらケーシング１５の外部に突出する下方側のロック位置（図２の位置）のいずれか一方に切り換え自在なロック部材１７と、このロック部材１７をロック位置とアンロック位置との間で上下移動させるための操作部材１８と、を備えている。【００１７】  図４に示すように、ケーシング１５は、室外側（図４の上側）に開口する溝型断面を有する硬質プラスチック製のケース本体２０と、このケース本体２０の室外側開口と左右両側面を覆うことができる溝型断面に形成されたステンレス製の外蓋部材２１とから構成されている。この外蓋部材２１の取付面側（図４の右側）の側壁は、下方に向かって真っ直ぐに延設されており、当該外蓋部材２１の延設部分によって前記取付ブラケット１６が構成されている。【００１８】  図１及び図２に示すように、本実施形態の取付ブラケット１６は、下方に開口する縦長のスリット２２を有する二股状のプレート材よりなり、このスリット２２は前記クレセント錠４の基台８を縦枠６に取り付けるための上下ねじ２３，２３の間隔よりも大きい深さに形成されている。このため、その上下ねじ２３，２３を緩めて基台８を縦枠６からいったん取り外し、その基台８と縦枠６の枠外立側面６Ａの間に取付ブラケット１６を挟み込んだ状態で上下ねじ２３，２３を締め付け直すことにより、ケーシング１５を縦枠６の枠外立側面６Ａにおけるクレセントレバー９の上方部分に取り付け可能となっている。【００１９】  ケーシング１５は、その正面の上半部分がオーバーハング状に室内側に突出しており、これにより、上半部分が下半部分に比べて幅広となっている。かかるケーシング１５のケース本体２０は、室内側に露出する正面壁部２４と、この正面壁部２４の背面側に立設された左右一対の中間壁部２５，２５とを一体に備えている。このうち、正面壁部２４は、後述する操作つまみ３９を挿通するための操作スリット２６を幅方向中央部に有しており、前記各中間壁部２５，２５は、��記ロック部材１７を支持するためのガイドピン２７，２８をガイドする前後一対のガイド孔２９，３０を有している。【００２０】  これら前後一対のガイド孔２９，３０のうち、室外側（図１の左側）の第一ガイド孔２９は、上下方向に長い上ガイド部３１と、この上ガイド部３１の下端から室外側に傾斜する傾斜ガイド部３２と、この傾斜ガイド部３２の下端から下方に伸びる下ガイド部３３とから段差状に屈曲形成されている。また、室内側（図１の右側）の第二ガイド孔３０も、第一ガイド孔２９と同様に、上ガイド部３１、傾斜ガイド部３２及び下ガイド部３３とから構成されているが、後述するスライダ３５のほぼ高さ寸法分だけ第一ガイド孔２９よりも下方に配置されている。【００２１】  前記ロック部材１７は、断面ほぼ矩形状に形成されたスライダ３５と、このスライダ３５の下端から室内側に湾曲する湾曲部を介して下方に延設されたロックアーム３６と、クレセント受け７に対して係合可能となるようにロックアーム３６の下端部に形成された爪部３７とを一体に備えている。このうち、スライダ３５はケース本体２０の左右一対の中間壁部２５，２５間に収納され（図４参照）、このスライダ３５の上部室外側と下部室外側には、ケーシング１５の幅方向（引き戸２，３の走行方向）に向く前記ガイドピン２７，２８が挿通されている。【００２２】  この各ガイドピン２７，２８のうち、室外側（図１の左側）の第一ガイドピン２７の両端部は、各中間壁部２５，２５の第一ガイド孔２９にスライド自在に挿通されていて、室内側（図１の右側）の第二ガイドピン２８の両端部は、各中間壁部２５，２５の第二ガイド孔３０にスライド自在に挿通されている。また、図１に示すように、ケーシング１５の内部には、下部側に屈曲部を有する板ばね材よりなる押圧ばね３８が収納されており、この押圧ばね３８の先端部を第二ガイドピン２８の端部に係合させることにより、スライダ３５が常に室内側（図１の右側）に付勢されている。【００２３】  従って、後述する操作つまみ３９によってスライダ３５を最上位まで上昇させると、図１に示すように、両ガイドピン２７，２８がいずれも各ガイド孔２９，３０の上ガイド部３１の上端部に位置し、このとき、ロック部材１７の全体がケーシング１５内に収納されてアンロック位置となる。
他方、操作つまみ３９によって上記アンロック位置からスライダ３５を下降させて行くと、両ガイドピン２７，２８が傾斜ガイド部３２を通過する際にスライダ３５がいったん室外側へ移動し、このとき、ロックアーム３６がケーシング１５から室外側に飛び出す。その後、更にスライダ３５を下降させると、両ガイドピン２７，２８が各ガイド孔２９，３０の下ガイド部３３に沿ってその下端部まで下降し、ロックアーム３６のほぼ全体がケーシング１５の下方に突出するロック位置となり、このさい、ロックアーム３６の下端の爪部３７がクレセント受け７に直接係合するようになっている。【００２４】  しかして、本実施形態では、上記各ガイドピン２７，８８とこれをスライド自在に案内する各ガイド孔２９，３０とから、ロック部材１７の下方移動の際に当該ロック部材１７を室内側に移動させてその爪部３７をクレセント受け７に直接係合させるカム機構５０が構成されている。
本実施形態の操作部材１８は、ケーシング１５内に収納されているロック部材１７のスライダ３５に抜き差し自在な操作つまみ３９よりなる。図１に示すように、この操作つまみ３９は、先端縁部に上下一対の係止爪４０を有する金属製の差し込みプレート４１と、このプレート４１の基端部に被覆された把手部４２とから構成されている。なお、ロック部材１７のスライダ３５には、上記各係止爪４０が嵌り込む上下一対の係止孔４３（図３参照）が形成されている。【００２５】  本実施形態の補助ロック装置１４では、ロック位置に突出したロック部材１７をその位置で保持する位置決め機構４５がケーシング１５の内部に設けられ、この位置決め機構４５は、ロック部材１７のスライダ３５内に収納されかつ基端部が第二ガイドピン２８に枢着された保持部材４６と、この保持部材４６の先端部を室内側に付勢する付勢ばね４７（図４参照）とを備えている。保持部材４６の先端部は、スライダ３５の室内側壁に形成した窓部から室内側に突出しており、前記ケース本体２０の正面壁部２４の内面には、その保持部材４６の先端部が係脱自在に嵌合する位置決め凹部４８が形成されている。【００２６】  なお、操作つまみ３９の係止爪４０をスライダ３５の係止孔４３に嵌め込むと、その係止爪４０の先端によって保持部材４６の先端部が室外側に押し込まれ、同先端部が位置決め凹部４８から外れてスライダ３５の保持が解除されるようになっている。従って、本実施形態の位置決め機構４５は、操作つまみ３９の差し込みのみによってロック部材１７の保持を解除する機能を有している。また、本実施形態では、正面壁部２４のロック部材１７のアンロック位置に対応する部分にも、保持部材４６の先端部が嵌合する位置決め凹部４８が形成されている。【００２７】  次に、上記構成に係る補助ロック装置１４を用いてクレセント錠４を補助的にロックする場合の作業手順を説明する。
まず、図５に示すように、本実施形態の補助ロック装置１４では、室内引き戸３の縦枠６と基台８の間に取付ブラケット１６を挟み込ませて固定することにより、ケーシング１５が室内引き戸３の縦枠６におけるクレセントレバー９の上方に常設されている。
そこで、上記補助ロック装置１４を作動させるには、ケーシング１５の正面壁部２４の操作スリット２６に操作つまみ３９を挿通して、アンロック位置にあるロック部材１７のスライダ３５の係止孔４３に操作つまみ３９の係止爪４０を差し込み、この状態で、操作つまみ３９を下方に押し下げればよい。【００２８】  すると、ロック部材１７がガイド孔２９，３０の各部の形状に沿って下降することにより、ロックアーム３６が室外側へ移動しながらケーシング１５の下方から突出して図２に示すロック位置となり、この状態で、ロック部材１７の爪部３７がクレセント受け７に引っ掛かる。これによって、当該補助ロック装置１４のロック操作が完了し、両引き戸２，３がロックされることになる。なお、このロックを解除するには、逆に操作つまみ３９によってスライダ３５を上昇させ、ロック部材１７をケーシング１５内のアンロック位置に切り換えるようにすればよい。【００２９】  このように、本実施形態の補助ロック装置１４によれば、ロック部材１７がケーシング１５内に収納されるアンロック位置と室外側へ移動しながらケーシング１５の外部に突出するロック位置のいずれか一方に切り換え自在となっており、しかも、そのロック位置においてクレセント受け７にロック部材１７の爪部３７が直接係合するようになっているので、クレセントレバー９がロック状態である場合は勿論のこと、同レバー９がアンロック状態である場合においても両引き戸２，３をロックすることができ、クレセントレバー９のロック状態とは無関係にロック部材１７を作動することができる。【００３０】  また、本実施形態の補助ロック装置１４では、ロック部材１７の姿勢を切り換える操作部材１８として、ロック部材１７におけるケーシング１５に収納されている部分（スライダ３５）に対して抜き差し自在な操作つまみ３９を採用しているので、かかる操作つまみ３９をロック部材１７から抜き取っておくことにより、侵入者がロック部材１７を操作できなくなり、この点で補助ロック装置１４による防犯性能を向上させることができる。【００３１】  更に、本実施形態の補助ロック装置１４では、ロック位置に突出したロック部材１７が位置決め機構４５によってその位置で保持され、ロック部材１７を無理矢理アンロック位置に戻すことができず、しかも、操作つまみ３９を差し込まないとその保持を解除することができなくなっているので、この点で補助ロック装置１４による防犯性能をよりいっそう向上させることができる。【００３２】  なお、本発明は上記実施例に限定されるものではない。
例えば、ロック部材１７は上下に直線運動するものだけでなく、ケーシング１５に対してリンク機構等によって揺動自在に設けられた部材であってもよい。また、ロック部材１７は、アンロック位置においてケーシング１５内に全部が収納されている必要はなく、一部が露出していてもよい。
更に、ケーシング１５をクレセントレバー９の下方に取り付け、ロック部材１７を上方移動させてその爪部３７をクレセント受け７に係合させるようにしてもよい。
【図面の簡単な説明】
【００３３】
【図１】  本発明に係る補助ロック装置の側面断面図であり、ロック部材がアンロック位置にある状態を示す。
【図２】  同補助ロック装置の側面断面図であり、ロック部材がロック位置にある状態を示す。
【図３】  同補助ロック装置の正面図であり、ロック部材がロック位置にある状態を示す。
【図４】  同補助ロック装置の平面断面図である。
【図５】  同補助ロック装置の取り付け状態を示す斜視図である。
【符号の説明】
【００３４】  ２      室外引き戸
３      室内引き戸
４      クレセント錠
５      縦枠（室外）
６      縦枠（室内）
７      クレセント受け
９      クレセントレバー
１４      補助ロック装置
１５      ケーシング（取付ベース）
１７      ロック部材
１８      操作部材
３７      爪部
３９      操作つまみ
４５      位置決め機構
【図１】
2005105791.tif 000003
【図２】
2005105791.tif 000004
【図３】
2005105791.tif 000005
【図４】
2005105791.tif 000006
【図５】
2005105791.tif 000007